(57)【特許請求の範囲】
【請求項１】
平均繊維長さが短い材料で形成された段ボール用の中芯と、前記中芯と同じ材料で形成されて前記中芯の一方の面に貼り付けられた表ライナーと、前記中芯と同じ材料で形成されて前記中芯の他方の面に貼り付けられた裏ライナーと、を具備する段ボールにより形成されて被包装体の底面を覆う底板と；
平均繊維長さが短い材料で形成された段ボール用の中芯と、平均繊維長さが前記中芯の材料より長い材料で形成されて前記中芯の一方の面に貼り付けられた表ライナーと、前記中芯と同じ材料で形成されて前記中芯の他方の面に貼り付けられた裏ライナーと、を具備する段ボールにより形成されて前記被包装体の天面と一対の側面の一部と一対の端面の一部とを覆う天板と；
前記底板と前記天板とを前記被包装体の底面と天面とを覆った位置で固定する固定部材と；
を具備することを特徴とする簡易包装構造。
【発明の詳細な説明】
【０００１】
【発明の属する技術分野】
本発明は、簡易包装構造に関する。
【０００２】
【従来の技術】
従来、照明器具などの輸送時や保管時には、再生紙である段ボールを用いて形成された外装用段ボール箱が広く使用されている。外装用段ボール箱の形成に用いられる段ボールについてはＪＩＳ規格で規定されており、このＪＩＳ規格に該当する３層構造の段ボールは、波状に形成された中芯と、中芯の一方の面に貼り付けられた表ライナーと、中芯の他方の面に貼り付けられた裏ライナーとにより構成されている。ＪＩＳ規格で規定された段ボールにおいて、中芯と表ライナーと裏ライナーとの材料を比較すると、表ライナーと裏ライナーとは同じ材料であり、これらの表・裏ライナーに対して中芯の材料は、不純物が相対的に多く含まれ、平均繊維長さが相対的に短く、品質が相対的に低く、安価である。
【０００３】
【発明が解決しようとする課題】
段ボールは再生紙を利用して形成される安価な部材であるが、各種商品の流通コストなどの削減のためにはさらに安価な段ボールが望まれている。
【０００４】
また、紙類のリサイクル性を高めるためには、品質が相対的に低い中芯の材料の使用量が増えることが望ましい。
【０００５】
そこで本発明は、製品コストが安価になる簡易包装構造を提供することを目的とする。
【０００６】
さらに本発明は、紙類のリサイクル性の向上を図ることができる簡易包装構造を提供することを目的とする。
【０００７】
【課題を解決するための手段】
請求項１記載の発明の簡易包装構造は、平均繊維長さが短い材料で形成された段ボール用の中芯と、前記中芯と同じ材料で形成されて前記中芯の一方の面に貼り付けられた表ライナーと、前記中芯と同じ材料で形成されて前記中芯の他方の面に貼り付けられた裏ライナーと、を具備する段ボールにより形成されて被包装体の底面を覆う底板と；平均繊維長さが短い材料で形成された段ボール用の中芯と、平均繊維長さが前記中芯の材料より長い材料で形成されて前記中芯の一方の面に貼り付けられた表ライナーと、前記中芯と同じ材料で形成されて前記中芯の他方の面に貼り付けられた裏ライナーと、を具備する段ボールにより形成されて前記被包装体の天面と一対の側面の一部と一対の端面の一部とを覆う天板と；前記底板と前記天板とを前記被包装体の底面と天面とを覆った位置で固定する固定部材と；を具備している。
【０００８】
ここで、外装用段ボール箱の形成に用いられるＪＩＳ規格で規定された段ボールであって中芯と表ライナーと裏ライナーとからなる３層構造の段ボールでは、中芯と表ライナーと裏ライナーとはともに再生紙が使用されている。これらの中芯と表ライナーと裏ライナーナーとのＪＩＳ規格で規定されている材料を比較すると、表ライナーと裏ライナーとは同じであり、これらの表・裏ライナーの材料に比べて中芯の材料は、不純物が相対的に多く、平均繊維長さが相対的に短く、品質が相対的に低く、安価である。
【０００９】
したがって、本発明の簡易包装構造では、底板として、表ライナーと裏ライナーとを中芯と同じ材料で形成することにより、表ライナーと裏ライナーとの材料が安価になり、段ボール全体が安価になる。さらに、再生紙のうちでも品質が低いものを表ライナーと裏ライナーとに使用することにより品質の低い再生紙の使用が促進され、紙類のリサイクル性が高くなる。
【００１１】
天板として、裏ライナーを中芯と同じ材料で形成することにより、裏ライナーの材料が安価になり、段ボール全体が安価になる。さらに、再生紙のうちでも品質が低いものを裏ライナーに使用することにより品質の低い再生紙の使用が促進され、紙類のリサイクル性が高くなる。また、表ライナーとして平均繊維長さが長い材料で形成された表ライナーを使用することにより、この表ライナーが用いられている側の面では、段ボールを折り曲げ線に沿って折り曲げたときにその折り曲げ線の箇所で段ボールが割れるということが防止される。
【００２８】
【発明の実施の形態】
本発明の第１の参考例を図１ないし図３に基づいて説明する。図１は、１部材により形成された外装用段ボール箱１を示す斜視図、図２は照明器具などの被包装体（図示せず）を包装した状態の外装用段ボール箱１を示す斜視図、図３は外装用段ボール箱１を形成する段ボールの構造を拡大して示す断面図である。
【００２９】
外装用段ボール箱１は、被包装体の周囲の６面を覆う形状に形成されており、天面部２ａ，２ｂ、底面部３、一対の側面部４、一対の端面部５を有している。外装用段ボール箱１内に緩衝材（図示せず）と共に被包装体を入れ、開放されている天面部分を閉じ、天面部２ａ，２ｂの合わせ目部分に接着テープ６を貼り付けることにより、図２に示すように被包装体の包装が終了する。
【００３０】
外装用段ボール箱１を形成する段ボールは図３に示すように、中芯７と、中芯７の一方の面に貼り付けられた表ライナー８と、中芯７の他方の面に貼り付けられた裏ライナー９とからなる３層構造に形成されている。中芯７は、３層構造の外装用段ボール箱の形成に用いられる段ボールの一部としてＪＩＳ規格（ＪＩＳ  Ｐ  ３９０４のＣ１２５）で規定されたものであり、その材料を段ボールの一部としてＪＩＳ規格（ＪＩＳ  Ｐ  ３９０２のＣ１７０）で規定されている表ライナーや裏ライナーの材料と比べると、不純物が相対的に多く、平均繊維長さが相対的に短く、品質が相対的に低く、安価である。本参考例の表ライナー８と裏ライナー９とは、ＪＩＳ規格で規定された中芯７の材料と同じ材料で形成されている。
【００３１】
被包装体の包装が終了した外装用段ボール箱１の表ライナー８の表面には、取扱説明や商品の名称等の必要事項を記したシール１０が貼り付けられている。シール１０の素材としては、アート紙、塩化ビニールやポリエステル等のフィルムが用いられる。
【００３２】
このような構成において、本参考例の外装用段ボール箱１は、ＪＩＳ規格で規定された中芯７と、この中芯７と同じ安価な材料で形成された表ライナー８及び裏ライナー９とからなる段ボールで形成されており、表ライナー８と裏ライナー９とが安価な材料で形成されているために段ボールが全体として安価になり、この安価な段ボールで形成されている外装用段ボール箱１も安価になる。
【００３３】
また、再生紙のうちでも品質の低いものを中芯７のみならず、表ライナー８と裏ライナー９とで使用することにより、品質の低い再生紙の使用が促進され、紙類のリサイクル性が高くなる。
【００３４】
ＪＩＳ規格で規定された中芯７の材料と同じ安価な材料で形成された表ライナー８は、その表面がざらついているため、取扱説明や包装されている商品の名称等の必要事項を印刷しにくい場合がある。このような点に対しては、取扱説明や包装されている商品の名称等の必要事項を記したシール１０を表ライナー８の表面に貼り付けることにより、外装用段ボール箱１への文字や記号などの必要な表示を確実に行える。
【００３５】
つぎに、本発明の第２の参考例を図４に基づいて説明する。なお、図１ないし図３において説明した説明した部分と同じ部分は同じ符号で示し、説明も省略する（以下の各参考例及び本実施の形態においても同様）。本参考例の外装用段ボール箱（図示せず）の外観構造は、第１の参考例で説明した外装用段ボール箱１と同じである。本参考例の外装用段ボール箱と第１の参考例の外装用段ボール箱１とで異なる点は、外装用段ボール箱の形成に用いられる段ボールの構造であり、本参考例の外装用段ボール箱を形成している段ボールは図４に示すように、ＪＩＳ規格（ＪＩＳ  Ｐ  ３９０４のＣ１２５）で規定された中芯７と、この中芯７の一方の面に貼り付けられたＪＩＳ規格（ＪＩＳ  Ｐ  ３９０２のＣ１７０）で規定されている表ライナー１１と、中芯７と同じ材料で形成されて中芯７の他方の面に貼り付けられた裏ライナー９とからなる３層構造に形成されている。
【００３６】
表ライナー１１は、３層構造の外装用段ボール箱の形成に用いられる段ボールの一部としてＪＩＳ規格で規定されているものであり、その材料を中芯７の材料と比べると、不純物が相対的に少なく、平均繊維長さが相対的に長く、品質が相対的に高く、高価である。
【００３７】
このような構成において、本参考例では、段ボールの片面に中芯７と同じ安価な材料で形成された裏ライナー９が使用されているので、段ボールが全体として安価になり、この安価な段ボールで形成される外装用段ボール箱も安価になる。
【００３８】
また、再生紙のうちでも品質の低いものを中芯７のみならず裏ライナー９で使用することにより、品質の低い再生紙の使用が促進され、紙類のリサイクル性が高くなる。
【００３９】
また、この段ボールではその片面にＪＩＳ規格で規定された表ライナー１１が使用されているので、平均繊維長さが長い表ライナー１１が用いられている側の面では、段ボールを折り曲げ線に沿って折り曲げたときにその折り曲げ線の箇所で段ボールが割れるということが防止される。さらに、ＪＩＳ規格で規定されている表ライナー１１の表面は滑らかであってこの表ライナー１１に対しては印刷をスムーズに行えるので、第１の参考例で説明したシール１０を用いることなく、外装用段ボール箱への文字や記号などの必要な表示を印刷により行える。
【００４０】
つぎに、本発明の第３の参考例を図５に基づいて説明する。本参考例の外装用段ボール箱１２は、上蓋１３と下蓋１４との２部材からなり、これらの上蓋１３と下蓋１４とが被包装体を囲んで連結自在に設けられている。上蓋１３は、被包装体の周囲の５面を覆う形状に形成され、天面部１５、一対の側面部１６、一対の端面部１７を有している。下蓋１４は、被包装体の少なくとも底面を覆う形状に形成され、底面部１８、一対の側面部１９、一対の端面部２０を有している。上蓋１３と下蓋１４とを連結したとき、側面部１６と側面部1９とが重なり合い、端面部１７と端面部２０とが重なり合う。
【００４１】
本参考例の外装用段ボール箱１２では、上蓋１３と下蓋１４とが、図３に示した段ボール又は図４に示した段ボールで形成されている。
【００４２】
このような構成において、本参考例の外装用段ボール箱１２においては、上蓋１３と下蓋１４とが図３又は図４に示した段ボールで形成されることにより、外装用段ボール箱１２が安価になる。また、品質の低い再生紙の使用が促進され、紙類のリサイクル性が高くなる。
【００４３】
なお、本参考例では、上蓋１３と下蓋１４との両方を本発明の段ボール（図３又は図４に示した段ボール）で形成した場合について説明したが、上蓋１３と下蓋１４とのいずれか一方のみを本発明の段ボールで形成し、他方を従来例のＪＩＳ規格で規定された段ボールで形成してもよい。
【００４４】
つぎに、本発明の第４の参考例を図６及び図７に基づいて説明する。本参考例の外装用段ボール箱２１は、筒体２２と一対の端面被覆体２３との３部材からなり、これらの筒体２２と端面被覆体２３とが被包装体を囲んで連結自在に設けられている。
【００４５】
筒体２２は、被包装体の周囲の４面を覆う形状に形成され、天面部２４ａ，２４ｂ、底面部２５、一対の側面部２６を有している。筒体２２への端面被覆体２３の固定は、接着剤又は嵌め込みなどにより行われている。外装用段ボール箱２１内に緩衝材と共に被包装体を入れ、開放されている天面部分を閉じ、天面部２４ａ，２４ｂの合わせ目部分に接着テープ６を貼り付けることにより、図７に示すように被包装体の包装が終了する。
【００４６】
本参考例の外装用段ボール箱２１では、筒体２２が、図３に示した段ボール又は図４に示した段ボールで形成されている。
【００４７】
このような構成において、本参考例の外装用段ボール箱２１においては、筒体２２が図３又は図４に示した段ボールで形成されることにより、外装用段ボール箱２１が安価になる。また、品質の低い再生紙の使用が促進され、紙類のリサイクル性が高くなる。
【００４８】
なお、本参考例のように３部材からなる外装用段ボール箱において、端面被覆体２３を本発明の段ボールにより形成し、筒体をライナー紙などの単層構造の紙で形成してもよい。本発明の段ボールで形成されるものが端面被覆体２３のみであっても、外装用段ボール箱の低価格化、紙類のリサイクル性の向上を図ることができる。
【００４９】
つぎに、本発明の第５の参考例を図８及び図９に基づいて説明する。本参考例は、照明器具などの被包装体２７を簡易に包装する簡易包装構造に関するものである。
【００５０】
本参考例では、被包装体２７の底面と両端面とを覆うように折り曲げられた包装用長尺片２８、複数の被包装体２７を重ねた状態で保持する保持板２９、包装用長尺片２８を被包装体２７の底面と両端面とを覆った位置で固定する固定部材である固定バンド３０が設けられている。
【００５１】
包装用長尺片２８は、図３に示した段ボール又は図４に示した段ボールで形成されている。包装用長尺片２８における表ライナー８の表面には、取扱説明や包装されている商品の名称を記したシール１０が貼り付けられている。
【００５２】
このような構成において、この簡易包装構造では、包装用長尺片２８が図３又は図４に示した段ボールで形成されることにより、包装用長尺片２８が安価になるとともに簡易包装用構造全体が安価になる。また、品質の低い再生紙の使用が促進され、紙類のリサイクル性が高くなる。
【００５３】
つぎに、本発明の一実施の形態を図１０に基づいて説明する。本実施の形態は、照明器具などの被包装体３１を簡易に包装する簡易包装構造に関するものである。
【００５４】
本実施の形態では、被包装体３１の底面を覆う底板３２、被包装体３１の天面と被包装体３１の一対の側面の一部と一対の端面の一部とを覆う天板３３、底板３２と天板３３とを被包装体３１の底面と天面とを覆った位置で固定する固定部材である固定バンド３４が設けられている。
【００５５】
底板３２と天板３３とは、図３に示した段ボールと図４に示した段ボールとで形成されている。天板３３における表ライナー１１の表面には、取扱説明や包装されている商品の名称を記したシール１０が貼り付けられている。
【００５６】
このような構成において、この簡易包装構造では、底板３２と天板３３とが図３又は図４に示した段ボールで形成されることにより、底板３２や天板３３が安価になるとともに簡易包装用構造全体が安価になる。また、品質の低い再生紙の使用が促進され、紙類のリサイクル性が高くなる。
【００５８】
【発明の効果】
請求項１記載の発明が底板に使用する段ボールによれば、中芯の両面に貼り付けられた表ライナー及び裏ライナーを、安価であるとともに品質が低い再生紙である中芯と同じ材料で形成することにより、この段ボール全体を安価なものとすることができる。さらに、品質の低い再生紙の使用が促進されるので、紙類のリサイクル性を高めることができる。
【００５９】
請求項１記載の発明が天板に使用する段ボールによれば、中芯の片面に貼り付けられた裏ライナーを安価であるとともに品質が低い再生紙である中芯と同じ材料で形成することにより、この段ボール全体を安価なものとすることができる。さらに、品質の低い再生紙の使用が促進されるので、紙類のリサイクル性を高めることができる。また、中芯の他の片面には表ライナーとしてＪＩＳ規格で規定されている平均繊維長さが中芯よりも長い材料で形成した表ライナーを使用することにより、この表ライナーが用いられている側の面では、段ボールを折り曲げ線に沿って折り曲げたときにその折り曲げ線の箇所で段ボールが割れるということを防止することができる。
【００６５】
請求項１記載の発明の簡易包装構造によれば、この簡易包装構造を構成する底板と天板とを請求項１又は２記載の段ボールで形成したので、この簡易包装構造を安価なものとすることができ、さらに、品質の低い再生紙の使用を促進できるとともに紙類のリサイクル性を高めることができる。
【図面の簡単な説明】
【図１】  本発明の第１の参考例における外装用段ボール箱を示す斜視図である。
【図２】  被包装体を包装した状態の外装用段ボール箱を示す斜視図である。
【図３】  段ボールの構造を拡大して示す断面図である。
【図４】  本発明の第２の参考例における段ボール構造を拡大して示す断面図である。
【図５】  本発明の第３の参考例における外装用段ボール箱を示す分解斜視図である。
【図６】  本発明の第４の参考例における外装用段ボール箱を示す分解斜視図である。
【図７】  被包装体を包装した状態の外装用段ボール箱を示す斜視図である。
【図８】  本発明の第５の参考例における簡易包装構造について説明する分解斜視図である。
【図９】  被包装体を簡易包装した状態を示す斜視図である。
【図１０】  本発明の一実施の形態における簡易包装構造により被包装体を簡易包装した状態を示す斜視図である。
【符号の説明】
１：外装用段ボール箱
２ａ，２ｂ：天面部
３：底面部
４：側面部
５：端面部
７：中芯
８：表ライナー
９：裏ライナー
１０：シール
１１：表ライナー
１２：外装用段ボール箱
１３：上蓋
１４：下蓋
１５：天面部
１６：側面部
１７：端面部
１８：底面部
２１：外装用段ボール箱
２２：筒体
２３：端面被覆体
２４ａ，２４ｂ：天面部
２５：底面部
２６：側面部
２７：被包装体
２８：包装用長尺片
３０：固定部材
３１：被包装体
３２：底板
３３：天板
３４：固定部材
【図１】
0003835096.tif 000002
【図２】
0003835096.tif 000003
【図３】
0003835096.tif 000004
【図４】
0003835096.tif 000005
【図５】
0003835096.tif 000006
【図６】
0003835096.tif 000007
【図７】
0003835096.tif 000008
【図８】
0003835096.tif 000009
【図９】
0003835096.tif 000010
【図１０】
0003835096.tif 000011